(57)【要約】      （修正有）【課題】スポークを回避することができ、スポークの裏側にブラシの毛が届くため、洗い残しを減少することができる洗浄ブラシを提供する。【解決手段】柄の部分をＬの字形状又は、コの字形状とする。持ち替えずにリムの内側が洗浄できるよう、毛の方向は９０°直角であることが望ましい。また、洗浄ブラシの毛はＬ字形状又はコの字に対して、９０°と２７０°の両方に植えられていることが望ましい。さらに洗浄作業を数回繰り返すと、一度曲がった毛が元の形状に戻らなくなる。ブラシ部のみ交換可能な、カートリッジ式であることが望まれる。【選択図】図２
0003186219.tif 000002
【実用新案登録請求の範囲】
【請求項１】
自動車等の車輛を洗車する為の洗車用ブラシであり、該ブラシは柄部をＬ字形状、又はコの字形状とすることにより、洗浄する場所の手前の部品を回避できることを特徴とした洗車用ブラシ
【請求項２】
前記ブラシは、ブラシ部に植えられた毛の方向がＬ字又はコの字に対して９０°直角に植えられていることを特徴とした請求項１の洗車用ブラシ。
【請求項３】
前記ブラシは、ブラシ部に植えられた毛の方向がＬ字、又はコノ字に対して９０°及び２７０°直角に植えられていることを特徴とした請求項１乃至２の洗車用ブラシ。
【請求項４】
前記ブラシは、柄部がポリプロピレンであることを特徴とした請求項１乃至３の洗車用ブラシ。
【請求項５】
前記ブラシは、ブラシ部に植えられた毛の材質がナイロンであることを特徴とした請求項１乃至４の洗車用ブラシ。
【考案の詳細な説明】
【技術分野】
【０００１】  本考案は、自動車や自動二輪車、トラック、産業車両等の車両の洗浄を行う際に使用する、洗浄ブラシの柄部を、Ｌ字形状又はコの字形状とすることにより、ホイールのスポーク部分を回避することが出来、それにより洗い残しを減少し、作業者の負担を軽減することができる、車両用洗浄ブラシの形状に関する。
【背景技術】
【０００２】従来の自動車や自動二輪車、トラック、産業車両等に用いる洗浄ブラシは、直線状、又は緩やかな曲線状の柄部の先に、毛を含むブラシ部が設けられていた。
【先行技術文献】
【特許文献】
【０００３】
【特許文献１】特開２００６−６１６４９（Ｐ２００６−６１６４９Ａ）公報
【考案の概要】
【考案が解決しようとする課題】
【０００４】従来の自動車や自動二輪車、トラック、産業車両等に用いる洗浄ブラシで、ホイールのスポークの裏側であり、リムの内周面を洗浄する際には、柄部がスポークと接触し、ブラシ部の毛が届かない場合が多いため、洗い残しが多く発生し、作業者の負担も大きかった。
【課題を解決するための手段】
【０００５】  課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○洗浄ブラシ：清掃や道具の手入れのための用品であり、柄部とブラシ部の部分で構成されている。
柄部：手で握り易い様につけられた棒状の部分
ブラシ部：多数の毛を生やした部分
ホイール：物を移動させるために用いられる円形外周を持つ機械部分。
スポーク：リムとハブをつなぐ部分で、基本的にはハブから放射状に伸びている。
リム：車両の車輪を構成する部品の一部であって、車輪の外縁部にあって全体の形状を支えている。
ハブ：車輪の中心部にあって、車輪の外周と車輪とをつなぐスポークが集中する部分。
作業者：ホイールを洗浄する人
【考案の効果】
【０００６】  本考案に係る、洗浄ブラシは、上記のような特徴的構成要件から編成され、特徴的構成要件に応じた、以下のような本願考案特有の効果を奏する。
また、上記の各考案に応じた、上記のような特徴的構成要件から構成された洗浄ブラシによれば、本願考案の課題を十分解消することができた。
○第１の考案の効果
●第１の考案によれば、第１の考案の特徴的な構成要件により、本考案が解決しようとする第１課題（従来の自動車や自動二輪車、トラック、産業車両等に用いる洗浄ブラシで、ホイールのスポークの裏側であり、リムの内周面を洗浄する際には、柄部がスポークと接触し、ブラシ部の毛が届かない場合が多いため、洗い残しが多く発生し、作業者の負担も大きかった。）
を達成することができ、当業者予測不可能な顕著な効果を奏することができた。
○第２の考案の効果
●第２の考案によれば、第２の考案の特徴的な構成要件により、本考案が解決しようとする第１課題を達成することができ、当業者予測不可能な顕著な効果を奏することができた。
○第３の考案の効果
●第３の考案によれば、第３の考案の特徴的な構成要件により、本考案が解決しようとする第１課題を達成することができ、当業者予測不可能な顕著な効果を奏することができた。
●第４の考案によれば、第４の考案の特徴的な構成要件により、本考案が解決しようとする第１課題を達成することができ、当業者予測不可能な顕著な効果を奏することができた。
●第５の考案によれば、第５の考案の特徴的な構成要件により、本考案が解決しようとする第１課題を達成することができ、当業者予測不可能な顕著な効果を奏することができた。
【図面の簡単な説明】
【０００７】
【図１】本考案における洗浄ブラシの実施形態（Ｌ字形状）
【図２】本考案における洗浄ブラシの実施形態（コの字形状）
【図３】本考案における洗浄ブラシの柄
【図４】本考案における洗浄ブラシ
【図５】従来の洗浄ブラシ
【考案を実施するための最良の形態】
【０００８】  本考案では、図１のように柄の部分をＬの字形状又は、図２に示すようなコの字形状としている。これによりスポーク式のホイールが装着された車両を洗浄する場合は、スポークを回避することができ、裏側にブラシの毛が届くため、洗浄がし易くなり、洗い残しを減少することができるとともに、作業者の負担を軽減できる。【０００９】本考案の第一の実施形態
図１に示すような洗浄ブラシの柄をＬ字形状又は図２に示すようなコの字形状とした。コの部分は図３の様に長さ方向１５〜２５ｍｍ幅方向に５〜１５ｍｍであることが望ましい。長さ方向は、１５ｍｍ以下であるとホイールの奥にブラシの毛が届かず、２５ｍｍ以上であると力を入れた際に柄が撓むことにより、作業者のエネルギーをロスしてしまったり、更には柄が折損してしまう場合がある。
幅方向は、５ｍｍ以下であるとスポークに接触しやすくなる為、回避しにくくなり、１５ｍｍ以上であると、力を入れた際に柄が撓むことにより、作業者のエネルギーをロスしてしまったり、更には柄が折損してしまう場合がある。【００１０】本考案の第二の実施形態
一般的にホイールのスポークは、ホイールハブを中心として、リムに向かって放射状に取り付けられているものが多い。従ってＬ字形状、又はコの字形状によりスポークを回避した状態で、そのまま持ち替えずにリムの内側が洗浄できるよう、毛の方向は図３のように９０°直角であることが望ましい。【００１１】本考案の第三の実施形態
ホイールを洗浄する際には、洗浄したい箇所のスポークと隣接するスポークの間より、ブラシを挿入して行うが、該作業はスポークと柄部が接触して傷つけてしまわない様、注意が必要となり、面倒な作業となる。
従ってこの作業の回数は少ない方が、作業者の負担を軽減できる。
その為、９０°（又は２７０°）の位置で洗浄した後に柄を握り替え、２７０°（又は９０°）の位置に反転させることができる方が良い。
このような理由により、洗浄ブラシの毛はＬ字形状又はコの字に対して、９０°と２７０°の両方に植えられていることが望ましい。【００１２】本考案の第四の実施形態
洗浄作業は、作業者がブラシの柄部を手で持って動かして行う為、作業者の負担軽減の為には軽量であることが望まれる。しかし、一般的に比重の低い素材は、曲げ剛性が弱く、撓んでしまう事により洗浄しにくくなったり、更に力を加えた場合には折損してしまうことがある。従って柄部の素材は軽量且つ剛性の強いものでなければならず、合成樹脂系の特にポリプロピレンであることが望ましい。【００１３】本考案の第五の実施形態
洗浄作業を数回繰り返すと、一度曲がった毛が元の形状に戻らなくなる。本考案の洗浄ブラシの柄部は特殊形状をしているため、従来の洗浄ブラシより価格が上がることが予想される。従ってブラシ部は使用できなくなっても、柄の部分は再使用できる、ブラシ部のみ交換可能な、カートリッジ式であることが望まれる。
【産業上の利用可能性】
【００１６】自動車、自動二輪車、トラック、産業用車両等のホイールの洗浄
【符号の説明】
【００１７】１ａ……柄部（Ｌ字形状）
２ａ……ブラシ部（Ｌ字形状）
３ｂ……毛（Ｌ字形状）
１ａ……柄部（コの字形状）
２ａ……ブラシ部（コの字形状）
３ｂ……毛（コの字形状）
【図１】
0003186219.tif 000003
【図２】
0003186219.tif 000004
【図３】
0003186219.tif 000005
【手続補正書】
【提出日】平成25年7月29日(2013.7.29)
【手続補正３】
【補正対象書類名】明細書
【補正対象項目名】０００７
【補正方法】変更
【補正の内容】
【０００７】
【図１】本考案における洗浄ブラシの実施形態（Ｌ字形状）
【図２】本考案における洗浄ブラシの実施形態（コの字形状）
【図３】本考案における洗浄ブラシの柄